(57)【要約】【課題】より便利な操作説明表示機能を提供することができるようにする。【解決手段】操作説明表示機能を実行するための操作ボタンが操作されると、テレビジョン受像機１１は、ステップＳ４において、テレビジョン受像機１１のテレビ条件データを取得し、ステップＳ５において、コンテンツデータサーバ１３に送信する。コンテンツデータサーバ１３は、ステップＳ３３において、受信したテレビ条件データに基づいて取得した操作説明情報をテレビジョン受像機１１に送信する。テレビジョン受像機１１は、ステップＳ６において、操作説明情報を受信し、ステップＳ７において、操作説明情報に基づく取扱操作説明を番組の映像とともに２画面表示する。本発明は、例えば、テレビジョン受像機に適用できる。【選択図】図４
2009171383.tif 000002
【特許請求の範囲】
【請求項１】
所定の映像を表示手段に表示させる表示制御装置であって、
前記表示制御装置に関する情報および現在の使用条件に関する情報である条件データを取得する条件データ取得手段と、
ネットワークを介して所定のサーバに前記条件データを送信し、前記条件データに対応する前記表示制御装置の操作説明情報を前記所定のサーバから受信する通信手段と、
前記所定の映像と、前記操作説明情報に基づく取扱操作説明画面を同時に２画面で表示する表示制御手段と
を備える表示制御装置。
【請求項２】
前記条件データは、前記表示制御装置の機種情報と、ユーザの視聴状態についての情報である
請求項１に記載の表示制御装置。
【請求項３】
所定の映像を表示手段に表示させる表示制御装置の制御方法であって、
前記表示制御装置に関する情報および現在の使用条件に関する情報である条件データを取得し、
ネットワークを介して所定のサーバに前記条件データを送信し、
前記条件データに対応する前記表示制御装置の操作説明情報を前記所定のサーバから受信し、
前記所定の映像と、前記操作説明情報に基づく取扱操作説明画面を同時に２画面で表示する
ステップを含む表示制御装置の制御方法。
【請求項４】
所定の映像を表示手段に表示させる表示制御処理を、コンピュータに実行させるプログラムにおいて、
前記表示制御装置に関する情報および現在の使用条件に関する情報である条件データを取得し、
ネットワークを介して所定のサーバに前記条件データを送信し、
前記条件データに対応する前記表示制御装置の操作説明情報を前記所定のサーバから受信し、
前記所定の映像と、前記操作説明情報に基づく取扱操作説明画面を同時に２画面で表示する
ステップを含む処理をコンピュータに実行させるプログラム。
【発明の詳細な説明】
【技術分野】
【０００１】
本発明は、表示制御装置およびその制御方法、並びにプログラムに関し、特に、より便利な操作説明表示機能を提供することができるようにする表示制御装置およびその制御方法、並びにプログラムに関する。
【背景技術】
【０００２】
インターネットなどのネットワークに接続することが可能なテレビジョン受像機において、メーカ等のホームページ（サーバ）にアクセスして、テレビジョン受像機の取扱操作説明に関する情報（操作説明情報）を取得し、内蔵しているブラウザ等を用いて、取扱操作説明を表示することができるものがある。これにより、ユーザは、取扱操作説明に関する必要な情報を、紙媒体の取扱操作説明書を持ち出して調べることなく、より簡単に取得することができるようになった。
【発明の開示】
【発明が解決しようとする課題】
【０００３】
しかしながら、従来のテレビジョン受像機における取扱操作説明の画面表示機能には、次のような問題点がある。
【０００４】
第１に、取扱操作説明を画面に表示する場合に、取扱操作説明が全画面で表示されるので、ユーザが番組を視聴中であるときには、その番組を一時的に見ることができなくなるという問題があった。第２に、サーバには全ての機種に対応するように多種多様な操作説明情報が保存されていて、サーバアクセス後に最初に表示される初期画面では、ユーザが有する機種に関係なく一律の情報が表示されるようになっており、初期画面から、ユーザの所望の情報を検索および選択する操作が必要となるので、ユーザによる操作負担が大きいという問題があった。
【０００５】
以上のような理由から、従来の取扱操作説明の画面表示機能は、ユーザにとって実用的であるとは言い難かった。
【０００６】
本発明は、このような状況に鑑みてなされたものであり、より便利な操作説明表示機能を提供することができるようにするものである。
【課題を解決するための手段】
【０００７】
本発明の一側面の表示制御装置は、所定の映像を表示手段に表示させる表示制御装置であって、前記表示制御装置に関する情報および現在の使用条件に関する情報である条件データを取得する条件データ取得手段と、ネットワークを介して所定のサーバに前記条件データを送信し、前記条件データに対応する前記表示制御装置の操作説明情報を前記所定のサーバから受信する通信手段と、前記所定の映像と、前記操作説明情報に基づく取扱操作説明画面を同時に２画面で表示する表示制御手段とを備える
【０００８】
前記条件データは、前記表示制御装置の機種情報と、ユーザの視聴状態についての情報とすることができる。
【０００９】
本発明の一側面の表示制御装置の制御方法は、所定の映像を表示手段に表示させる表示制御装置の制御方法であって、前記表示制御装置に関する情報および現在の使用条件に関する情報である条件データを取得し、ネットワークを介して所定のサーバに前記条件データを送信し、前記条件データに対応する前記表示制御装置の操作説明情報を前記所定のサーバから受信し、前記所定の映像と、前記操作説明情報に基づく取扱操作説明画面を同時に２画面で表示するステップを含む。
【００１０】
本発明の一側面のプログラムは、所定の映像を表示手段に表示させる表示制御処理を、コンピュータに実行させるプログラムにおいて、前記表示制御装置に関する情報および現在の使用条件に関する情報である条件データを取得し、ネットワークを介して所定のサーバに前記条件データを送信し、前記条件データに対応する前記表示制御装置の操作説明情報を前記所定のサーバから受信し、前記所定の映像と、前記操作説明情報に基づく取扱操作説明画面を同時に２画面で表示するステップを含む処理をコンピュータに実行させる。
【００１１】
本発明の一側面においては、表示制御装置に関する情報および現在の使用条件に関する情報である条件データが取得され、ネットワークを介して所定のサーバに送信される。そして、条件データに対応する表示制御装置の操作説明情報が所定のサーバから受信され、所定の映像と、操作説明情報に基づく取扱操作説明画面が同時に２画面で表示される。
【発明の効果】
【００１２】
本発明の一側面によれば、より便利な操作説明表示機能を提供することができる。
【発明を実施するための最良の形態】
【００１３】
以下、図を参照して、本発明の実施の形態について説明する。
【００１４】
図１は、本発明を適用した表示システムの一実施の形態の構成例を示している。
【００１５】
図１の表示システム１は、テレビジョン受像機１１、アプリケーションデータサーバ１２、およびコンテンツデータサーバ１３と、それらを互いに接続するインターネットなどのネットワーク１４により構成されている。
【００１６】
テレビジョン受像機１１は、地上波放送や衛星放送等の放送信号を受信して得られる所定のチャンネルの番組の映像を表示したり、接続している再生機器（不図示）で再生されて入力される再生信号から得られる再生映像を表示する。このテレビジョン受像機１１は、取扱操作説明を画面として表示する機能（以下、操作説明表示機能と称する）を有している。例えば、付属のリモートコントローラのガイドボタンなどの所定の操作ボタンを操作することにより、操作説明表示機能の実行が選択された場合、テレビジョン受像機１１は、いま視聴または再生している映像と、取扱操作説明画面を同時に２画面で表示する２画面表示を行う。
【００１７】
テレビジョン受像機１１は、ネットワーク１４を介してアプリケーションデータサーバ１２にアクセスし、テレビジョン受像機１１の取扱操作説明を画面表示するアプリケーションのデータ（アプリケーションデータ）を取得する。取得されるアプリケーションは、テレビジョン受像機１１の機種に対応するものであり、アプリケーションデータサーバ１２にテレビジョン受像機１１が送信したテレビジョン受像機１１の機種情報により、アプリケーションデータサーバ１２で判別され、テレビジョン受像機１１に送信されたものである。
【００１８】
その後、テレビジョン受像機１１は、ネットワーク１４を介してコンテンツデータサーバ１３にアクセスし、テレビジョン受像機１１の取扱操作説明に関する情報（操作説明情報）を取得する。この取得された操作説明情報に基づいて、取扱操作説明が表示される。
【００１９】
アプリケーションデータサーバ１２は、テレビジョン受像機１１の取扱操作説明を画面表示するためのアプリケーションのデータ（アプリケーションデータ）を記憶し、テレビジョン受像機１１からの要求に応じて、アプリケーションデータを送信する。
【００２０】
コンテンツデータサーバ１３は、テレビジョン受像機１１の取扱操作説明に関する情報（操作説明情報）を記憶し、テレビジョン受像機１１からの要求に応じて、操作説明情報を送信する。
【００２１】
図２は、テレビジョン受像機１１の操作説明表示機能についての機能ブロック図を示している。
【００２２】
テレビジョン受像機１１は、リモコン信号受信部２１、通信部２２、選局制御部２３、チューナ２４、信号処理部２５、アプリケーション制御部２６、記憶部２７、合成部２８、表示部２９、および外部入力部３０により構成されている。
【００２３】
テレビジョン受像機１１の各構成のうち、例えば、選局制御部２３、信号処理部２５、アプリケーション制御部２６、および合成部２８などは、所定のプログラムをコンピュータ(Central Processing Unit)に実行させることで、実現することが可能である。なお、ハードウエア的に構成しても勿論よい。
【００２４】
リモコン信号受信部２１は、図示せぬリモートコントローラ（リモコン）からのリモコン信号を受信し、その信号に応じた制御信号を選局制御部２３およびアプリケーション制御部２６に供給する。
【００２５】
通信部２２は、ネットワーク１４と接続し、アプリケーション制御部２６の制御にしたがい、アプリケーションデータサーバ１２にアクセスしてアプリケーションデータを受信したり、コンテンツデータサーバ１３にアクセスして操作説明情報を受信する。受信されたアプリケーションデータおよび操作説明情報は、アプリケーション制御部２６に供給される。
【００２６】
選局制御部２３は、リモコン信号受信部２１からの制御信号に応じて、チューナ２４に対し、放送局（チャンネル）の選局を行う。チューナ２４は、選局制御部２３により選局されたチャンネルの放送信号をアンテナ端子２４ａを介して受信し、信号処理部２５に供給する。
【００２７】
信号処理部２５は、チューナ２４から供給された放送信号、または、外部入力部３０から供給された再生信号に対して復号等の処理を必要に応じて施し、映像信号を抽出する。抽出された映像信号は、合成部２８に供給される。即ち、信号処理部２５は、チューナ２４で選局された所定のチャンネルの番組の映像信号か、または、テレビジョン受像機１１と接続されている再生機器（再生機能を少なくとも有する機器）からの映像信号を合成部２８に供給する。なお、放送信号および再生信号には音声信号も含まれるが、音声についての説明は本実施の形態では省略する。
【００２８】
アプリケーション制御部２６は、リモコン信号受信部２１から、操作説明表示機能を実行するための操作ボタンが操作されたことを表す制御信号が供給されると、記憶部２７に記憶されている操作説明表示を行うアプリケーション（操作説明表示アプリケーション）をロードして実行し、取扱操作説明画面の映像信号を合成部２８に供給する。
【００２９】
アプリケーション制御部２６は、テレビジョン受像機１１内の各設定パラメータに基づいて、テレビジョン受像機１１の機種情報（テレビジョン受像機１１に関する情報）やユーザの視聴状態についての情報（現在の使用条件に関する情報）をテレビ条件データとして取得する。アプリケーション制御部２６は、取得したテレビ条件データを通信部２２を制御してコンテンツデータサーバ１３に送信し、テレビ条件データに合致した操作説明情報のみをコンテンツデータサーバ１３から取得する。
【００３０】
記憶部２７は、例えば、ハードディスクやフラッシュメモリなどの不揮発性メモリからなり、アプリケーション制御部２６がアプリケーションデータサーバ１２から取得したアプリケーションデータ（アプリケーションプログラムのデータ）を記憶する。
【００３１】
合成部２８は、信号処理部２５またはアプリケーション制御部２６から供給される映像信号に対応する映像を表示部２９に表示させる。より具体的には、合成部２８は、信号処理部２５からのみ映像信号が供給された場合には、番組の映像を表示部２９に表示させ、信号処理部２５とアプリケーション制御部２６の両方から映像信号が供給された場合には、番組の映像と取扱操作説明画面が同時に２画面で表示させるように合成し、表示部２９に表示させる。表示部２９は、合成部２８から供給される映像信号に基づいて映像（画面）を表示する。
【００３２】
外部入力部３０は、外部の再生機器で再生された再生信号の入力を受け付ける複数の外部入力端子で構成され、再生機器から供給された再生信号を信号処理部２５に供給する。
【００３３】
図３は、チューナ２４で受信した番組の映像のみが表示される場合と、番組の映像と取扱操作説明画面の２画面表示が行われる場合の画面例を示している。
【００３４】
ユーザが番組の視聴のみを行っている場合には、図３Ａに示されるように、番組の映像が画面全体に表示される。一方、操作説明表示機能を実行するための操作ボタンが操作されると、テレビジョン受像機１１は、図３Ｂに示されるように、番組の映像を縮小して左側に配置し、右側のスペースに取扱操作説明画面を配置した２画面表示を行う。従って、操作説明表示機能を実行した場合であっても、ユーザは、それまで視聴していた番組を視聴することができる。また、例えば、映像の色合いの調整に関する取扱操作説明を表示した場合など、取扱操作説明に従い、映像の色合いを確認しながら調整操作を行うことができるので、利便性が向上する。
【００３５】
なお、外部の再生機器で再生され、外部入力部３０を介して入力された再生信号の映像（再生映像）を視聴している場合の２画面表示では、番組の映像の表示が再生映像の表示となる。
【００３６】
次に、図４のフローチャートを参照して、操作説明表示機能を実行する場合の処理の流れについて説明する。
【００３７】
初めに、ステップＳ１において、テレビジョン受像機１１は、テレビジョン受像機１１の機種（モデル）に固有な情報である機種情報を、アプリケーションデータサーバ１２に送信する。
【００３８】
アプリケーションデータサーバ１２は、ステップＳ２１において、テレビジョン受像機１１からの機種情報を受信し、ステップＳ２２において、受信された機種に対応する操作説明表示アプリケーションのアプリケーションデータをテレビジョン受像機１１に送信する。
【００３９】
テレビジョン受像機１１は、ステップＳ２において、アプリケーションデータサーバ１２から送信されてきたアプリケーションデータを受信し、記憶部２７に記憶させる。
【００４０】
以上の処理は、操作説明表示アプリケーションを起動する直前のタイミングで実行してもよいし、定期的にまたは不定期に実行してもよい。
【００４１】
ユーザが、図示せぬリモートコントローラにおいて、操作説明表示機能を実行するための操作ボタンを操作すると、テレビジョン受像機１１は、ステップＳ３において、操作説明表示アプリケーションを起動する。
【００４２】
ステップＳ４において、テレビジョン受像機１１は、テレビジョン受像機１１の機種情報とユーザの視聴状態についての情報をテレビ条件データとして取得し、ステップＳ５において、テレビ条件データをコンテンツデータサーバ１３に送信する。
【００４３】
ステップＳ３１において、コンテンツデータサーバ１３は、テレビジョン受像機１１から送信されてきたテレビ条件データを受信し、ステップＳ３２において、内部に記憶している操作説明情報のなかから、受信したテレビ条件データに対応する操作説明情報を取得し、ステップＳ３３において、テレビジョン受像機１１に送信する。
【００４４】
テレビジョン受像機１１は、ステップＳ６において、コンテンツデータサーバ１３からの操作説明情報を受信することにより取得し、ステップＳ７において、取得した操作説明情報に基づいて取扱操作説明画面を番組の映像とともに表示する。即ち、番組の映像と取扱操作説明画面の２画面表示が行われる。
【００４５】
ステップＳ８において、テレビジョン受像機１１は、取扱操作説明画面として表示されている複数の項目のうち、いずれかの項目がユーザにより選択されたか否かを判定し、いずれかの項目が選択されたと判定されるまで待機する。
【００４６】
ステップＳ８で、いずれかの項目がユーザにより選択されたと判定された場合、処理はステップＳ９に進み、テレビジョン受像機１１は、選択された項目（選択項目）についての詳細な取扱操作説明を要求する詳細操作説明情報要求をコンテンツデータサーバ１３に送信する。
【００４７】
コンテンツデータサーバ１３は、ステップＳ３４において、テレビジョン受像機１１からの詳細操作説明情報要求を受信し、ステップＳ３５において、詳細操作説明情報要求に対応する情報（詳細操作説明情報）を内部の記憶部から取得し、ステップ３６において、テレビジョン受像機１１に送信する。
【００４８】
テレビジョン受像機１１は、ステップＳ１０において、コンテンツデータサーバ１３から送信されてきた詳細操作説明情報を受信し、ステップＳ１１において、詳細操作説明情報に基づいて、選択項目の詳細な取扱操作説明を取扱操作説明画面として表示する。
【００４９】
テレビジョン受像機１１によるステップＳ８乃至Ｓ１１の処理と、それに対応するコンテンツデータサーバ１３のステップＳ３４乃至Ｓ３６の処理は、必要に応じて繰り返し実行される。
【００５０】
以上のように、表示システム１では、操作説明表示機能を実行するための操作ボタンがユーザにより操作されると、それまで視聴していた番組の映像のサイズを縮小し、その隣りに取扱操作説明画面を表示させた２画面表示により取扱操作説明を表示するようにしたので、取扱操作説明を確認する場合であっても、いままで視聴していた番組を継続して同時に視聴することができるので、利便性が向上する。
【００５１】
また、テレビジョン受像機１１は、取扱操作説明を表示する場合に、テレビジョン受像機１１の機種情報とユーザの視聴状態についての情報をテレビ条件データとして取得し、取得されたテレビ条件データに基づく操作説明情報を取得するので、一律に提示される情報からユーザが知りたい情報を自分で検索する手間を少なくすることができ、利便性が向上する。
【００５２】
従来、取扱操作説明を表示する場合には、例えば、メーカが販売しているテレビジョン受像機１１の全機種に相当する多数の操作説明のリストが最初の取扱操作説明画面として表示され、ユーザが自分の機種を探して選択しなければならなかったが、図１の表示システム１によれば、機種情報がテレビ条件データとしてテレビジョン受像機１１からコンテンツデータサーバ１３に送信され、コンテンツデータサーバ１３は、該当する機種についての操作説明情報のみを送信するので、取扱操作説明画面として最初に表示される取扱操作説明を、テレビジョン受像機１１の機種に合致するもののみとすることができる。従って、テレビジョン受像機１１の機種について絞り込むユーザの操作が不要となり、操作性が簡便になる。
【００５３】
また例えば、ユーザが映像の色合いの調整に関する設定メニューを操作しているときに、操作説明表示機能を実行するための操作ボタンが操作された場合には、テレビジョン受像機１１は、色合い調整中であるというユーザの視聴状態を条件データとしてコンテンツデータサーバ１３に送信することにより、映像の色合いの調整に関する取扱操作説明を、即座に、取扱操作説明画面として表示することが可能である。
【００５４】
なお、ユーザの視聴状態についての情報としては、その他、例えば、ユーザがアンテナ端子２４ａにより入力された放送信号の映像を視聴しているか、または、外部入力部３０の外部入力端子により入力された再生信号の映像を視聴しているかについての情報を取得することができる。
【００５５】
また、再生信号による映像を視聴している場合には、さらにHDMI端子、D端子、SVideo端子のいずれの種類の外部入力端子から入力されている映像であるかや、入力される映像信号を画面に表示したときのアスペクトサイズ（アスペクト比）などについての情報も、ユーザの視聴状態についての情報として取得することができる。
【００５６】
また、テレビジョン受像機１１は、操作説明表示機能を実現するアプリケーション（操作説明表示アプリケーション）をアプリケーションデータサーバ１２にアクセスして取得することができるので、新たな機能が追加されたり操作性が向上されたアプリケーションに更新することができる。従って、ユーザに最新の情報や機能を随時提供することができ、ユーザの満足度の向上に貢献する。
【００５７】
なお、紙媒体の操作取扱説明書では、コストの制約などにより１色（モノクロ）で印刷（表示）されるのが一般的であるが、画面上で取扱操作説明を表示する場合には、カラー表示することが容易なので、画面で取扱操作説明を表示するメリットとして、提示情報の視認性が向上するという点が挙げられる。また、コンテンツデータサーバ１３から操作説明情報を取得して取扱操作説明画面として表示することを前提として、印刷配布物の説明内容と画面表示による説明内容とを切り分けた場合には、印刷配布物の量を少なくすることができるので、環境に対する負荷を軽減することも可能である。例えば、印刷用紙の使用量で言うと、従来の約２０％程度の削減が可能な場合がある。
【００５８】
本明細書において、フローチャートに記述されたステップは、記載された順序に沿って時系列的に行われる処理はもちろん、必ずしも時系列的に処理されなくとも、並列的あるいは個別に実行される処理をも含むものである。
【００５９】
なお、本明細書において、システムとは、複数の装置により構成される装置全体を表すものである。
【００６０】
本発明の実施の形態は、上述した実施の形態に限定されるものではなく、本発明の要旨を逸脱しない範囲において種々の変更が可能である。
【図面の簡単な説明】
【００６１】
【図１】本発明を適用した表示システムの一実施の形態の構成例を示す図である。
【図２】テレビジョン受像機の操作説明表示機能に関する機能ブロック図である。
【図３】画面例を示す図である。
【図４】操作説明表示機能を実行する場合の処理の流れを説明するフローチャートである。
【符号の説明】
【００６２】
１  表示システム，  １１  テレビジョン受像機，  １２  アプリケーションデータサーバ，  １３  コンテンツデータサーバ，  ２６  アプリケーション制御部，  ２７  記憶部，  ２８  合成部，  ２９  表示部
【図１】
2009171383.tif 000003
【図２】
2009171383.tif 000004
【図３】
2009171383.tif 000005
【図４】
2009171383.tif 000006